(57)【要約】固体状及び／又は気体状の汚染物質を除いて浄化された空気を使用者に提供するための携帯用装置が記述されている。該装置は、少なくとも、該使用者が身に付けるハウジング（１）（例えば、該使用者のベルトからつるされているもの）、そのものは、少なくとも、空気中に存在する汚染物質をとるための濾過手段（２）および該濾過手段（２）から出てくる空気を放出手段（５）に送るための手段（３）を保有すること；該ハウジング（１）を該放出手段（５）に結合する手段（６）；該使用者の頭部に取付けられ、少なくとも、該使用者の鼻および口に濾過された空気を供給するための散気装置（７）（このようにして浄化空気で満たされた領域が作り出されること）、および該散気装置（７）用支持手段（８）から構成される。該装置は寸法および重量が制限され、該使用者自身の自由な移動を妨げることなく該使用者による持ち運びは容易である。
2004528866.tif 000002
【特許請求の範囲】
【請求項１】
携帯用空気浄化機であって、前記浄化機は、少なくとも、使用者が身に付けるハウジング（１）、前記ハウジング（１）を放出手段（５）に結合する手段（６）、および前記放出手段（５）の要素の組合せからなり、
前記ハウジング（１）は、少なくとも、空気中に存在する汚染物質をとるための濾過手段（２）および前記濾過手段（２）から出てくる空気を前記放出手段（５）に送るための手段（３）を保有し、
前記放出手段（５）は前記使用者の頭部に取付けられ、少なくとも、前記使用者の鼻および口に濾過空気を供給するための散気装置（７）および前記散気装置（７）を支えるための支持手段（８）からなることを特徴とする前記浄化機。
【請求項２】
前記ハウジング（１）は前記使用者のベルトからつるすことができることを特徴とする請求項１に記載の空気浄化機。
【請求項３】
前記濾過手段が少なくとも濾過材からなることを特徴とする請求項１に記載の空気浄化機。
【請求項４】
前記濾過材が少なくとも機械で製造した濾過材（１０）であることを特徴とする請求項３に記載の空気浄化機。
【請求項５】
前記機械で製造した濾過材（１０）が少なくとも互換性のあるカートリッジを具備したマルチ−フィルター・タイプのものであることを特徴とする請求項４に記載の空気浄化機。
【請求項６】
前記濾過手段（２）が空気中に存在する汚染物質の９９．９％までとるのに適していることを特徴とする請求項１に記載の空気浄化機。
【請求項７】
前記濾過手段（２）から出てくる空気を前記放出手段（５）に送るための前記手段（３）が少なくともファンからなることを特徴とする請求項１に記載の空気浄化機。
【請求項８】
前記ファンが少なくとも電動式ファン（１１）であることを特徴とする請求項７に記載の空気浄化機。
【請求項９】
前記電動式ファン（１１）が少なくとも多段速度式ファンであることを特徴とする請求項８に記載の空気浄化機。
【請求項１０】
前記送気手段（３）が４０〜２６０ｌ／ｍｉｎの範囲内にある量の空気を前記放出手段（５）に送るのに適していることを特徴とする請求項１に記載の空気浄化機。
【請求項１１】
前記ハウジング（１）を前記放出手段（５）に結合する前記手段（６）が可撓性管状体から形成されることを特徴とする請求項１に記載の空気浄化機。
【請求項１２】
前記可撓性管状体が可撓性畝状管から形成されることを特徴とする請求項１１に記載の空気浄化機。
【請求項１３】
前記可撓性管状体が無毒プラスチック材料から作られることを特徴とする請求項１１に記載の空気浄化機。
【請求項１４】
前記可撓性管状体が無毒ゴムから作られることを特徴とする請求項１１に記載の空気浄化機。
【請求項１５】
前記ハウジング（１）を前記放出手段（５）に結合する前記手段（６）が前記放出手段（５）に属する前記散気装置（７）に直に結合されていることを特徴とする請求項１に記載の空気浄化機。
【請求項１６】
前記放出手段（５）に属する前記散気装置（７）は前記使用者の鼻および口の直前領域に空気流を送るものであり、前記空気流は前記濾過手段（２）により浄化され、前記ハウジング（１）を前記放出手段（５）に結合する前記手段（６）から出てくることを特徴とする請求項１に記載の空気浄化機。
【請求項１７】
前記放出手段（５）に属し前記散気装置（７）を支える前記手段（８）は、半円形状を有するプラスチック体から作られ、その末端に前記散気装置（７）が固定されていることを特徴とする請求項１に記載の空気浄化機。
【発明の詳細な説明】
【技術分野】
【０００１】
本発明は、固体状及び／又は気体状の汚染物質を除いて浄化された空気で満たされた領域を使用者に提供するための携帯用装置から構成されている。該装置は、少なくとも、空気中に存在する汚染物質をとるための手段および該濾過手段から出てくる空気を放出手段に送るための手段を保有するハウジング；該ハウジングを該放出手段に結合する手段および該放出手段並びに散気装置用支持手段からなる。該放出手段は、少なくとも、該使用者の頭部に取付けられ、該使用者の鼻および口に濾過された空気を供給するための該散気装置（このようにして浄化空気で満たされた領域を作り出すもの）からなる。
【背景技術】
【０００２】
空気中に存在する固体状及び／又は気体状の汚染物質に関わる問題はより深刻になりつつあり、同時に健康上の驚くべき結果を含んでいる。前記問題は、汚染物質を放出すると見なされる製造工程に従事する作業者に特に関連する（または関連することがある）。その汚染物質は、少なくとも、吸い込んだ場合、健康に対して、また、都会の汚染された空気に長時間晒されるのを余儀なくされる人（例えば、市の警察官）にとって潜在的に有害である。
【０００３】
例えば、最近の研究に関して、将来において、約三人に一人の割合で、気管支喘息にかかるだろうということを思い起こしたい。そこでは実は、約五人に一人の割合で、呼吸系の癌、特に肺癌にかかるだろう。
【０００４】
さらに言及すれば、空気によって運ばれる花粉及び／又は他のアレルギー抗原によって引き起こされるアレルギー（花粉症等）にかかる患者が増えるということが判明した。
【発明の開示】
【発明が解決しようとする課題】
【０００５】
現在利用可能な個別の保護手段は通常不快感を伴うものであり又大きくて扱いにくいものである。例えば、保護マスクは、現在では最もひろく行き渡っている個別保護手段であり、呼吸に対する障害物を表している。それゆえに、保護マスクの使用は、峠を迎えようとする人の場合に峠を迎える危機を誘発するだけでなく、当該使用者にとってひどく疲れるものである。
【０００６】
更に、前記マスクにより、該使用者が話す、食べる、飲む等をすることが不可能になり、また、それゆえに、前記行動中は該マスクをはずさなければならない。
【０００７】
総合的保護手段（例えば、フラット（flat、アパート）や少なくとも１棟のビルの内部に設置される空気浄化システム）は、通常、設置費用および維持費用が高い。また、人がその浄化システムで覆われる領域外へ出た場合、その手段は効き目がない。
【課題を解決するための手段】
【０００８】
本発明の目的は、少なくとも、
−ハウジング；
−前記ハウジングを放出手段に結合する手段、および
−放出手段
の要素の組合せからなり、
該ハウジングは、使用者が身に付けるものであり、少なくとも、空気中に存在する汚染物質を、機械的に、化学的に及び／又は物理的にとるための濾過手段および前記濾過手段から出てくる空気を前記放出手段に送るための手段を保有し、
前記放出手段は、前記使用者の頭部に取付けられ、少なくとも、前記使用者の鼻および口に前記濾過空気を供給するための散気装置（このようにして浄化空気で満たされた領域を作り出すもの）および前記散気装置を支えるための支持手段からなる、携帯用空気浄化機である。
【発明の効果】
【０００９】
本発明の目的である携帯用空気浄化機(individual portable air purifier)は、汚染物質の吸い込みに関連するリスクに対して有効な保護を表しており、また、前述の欠点および制限をまったく備えていない。事実、小型化と軽量化のおかげで、そのものを身に付けた場合、使用者の自由な移動および通常の行動はいささかも制限されるものではない。その使用者は、それゆえに、呼吸する、話す、食べる、飲む等の行為を何らの障害及び／又は制限もなく行うことができる。
【発明を実施するための最良の形態】
【００１０】
図１は、本発明の携帯用空気浄化機を身に付ける使用者の背面図である。その空気浄化機は、少なくとも、
−該使用者が身に付けるハウジング１；
−該ハウジング１を放出手段５に結合する手段６、および
−該放出手段５
の要素の組合せからなり、
該ハウジング１は、少なくとも、空気中に存在する汚染物質をとるための濾過手段２（図1において示されていない）および前記濾過手段２から出てくる空気を該放出手段５に送るための手段３（図1において示されていない）を保有し、
該放出手段５（好ましくは図２および図３において示されていない）は、該使用者の頭部に取付けられ、少なくとも、該使用者の鼻および口に該濾過空気を供給するための散気装置７（このようにして浄化空気で満たされた領域を作り出すもの）および前記散気装置７を支えるための支持手段８からなるものである。
【００１１】
この態様において、該ハウジング１は該使用者のベルトからつるすことができ、そのものは、該ハウジング１の内部に配置された該送気手段３に供給する外部動力源９（好ましくは電池または再充電可能な蓄電池）に結合されている。本発明の範囲から逸脱することなく、該ハウジング１は、別の態様で、該使用者が身に付けることができ、例えば、該使用者の肩に乗せることができ、及び／又は、該動力源９は該ハウジング１の内部に配置することができる。
【００１２】
該使用者の特殊な要件によりよく適合させるために、濾過手段２は、少なくとも、濾過材からなり、好ましくはしかし必ずしも必須ではないが互換性のあるカートリッジを具備するマルチ−フィルター・タイプのもののような、機械で製造した濾過材からなる。本発明の範囲から逸脱することなく、他の種類の濾過材、例えば、静電濾過材または化学濾過材を使用することができる。
【００１３】
有利なことは、該濾過手段２で、空気中に存在する汚染物質の９９．９％までとることができ、とにかく、直径が０．５μｍにさえ満たない汚染物質の粒子をとることができることである。
【００１４】
該濾過手段２から出てくる空気を該放出手段５に送るための手段３は、少なくとも、ファン、好ましくは多段速度電動式ファンからなる。好ましくはしかし必ずしも必須ではないが、該送気手段３は、４０〜２６０ｌ／ｍｉｎの範囲内の量の空気を該放出手段５に送ることができる。
【００１５】
該ハウジング１を該放出手段５に結合する手段６は、該放出手段５に属する該散気装置７に直に結合されており、可撓性管状体(flexible tubular body)から形成される。そのものは、好ましくはまたは必ずしも必須ではないが、無毒プラスチック材料（例えば、ナイロン、ポリプロピレンまたはポリエチレン）または無毒ゴムから作られる。
【００１６】
有利なことは、その可撓性管状体が可撓性畝状管(corrugated pipe)から形成されることである。散気装置７は、該放出手段５に属し、支持手段８によって支えられ、該使用者の鼻や口の直前の領域に（結合手段６から出てくる）浄化空気流を供給することができる形状を有する。該散気装置７は、このようにして、浄化空気でこの領域を満たし、該使用者により吐き出された汚染空気および気体状の物品(gaseous products)のいずれをもそこからとり除く。それゆえに、該使用者はほとんど該濾過手段２で浄化された空気の中でのみ呼吸することができる。
【００１７】
支持手段８は、該放出手段５に属し、該散気装置７を支える。好ましくは、そのものは、例えば、電話交換手（または手を自由にしておくことが求められる他のオペーレーター）が使用するたぐいのものであり、本質的に半円形状を有し使用者の頭部に取付けられるプラスチック体から形成される。そのプラスチック体の末端には該散気装置７が固定される。
【００１８】
図４は、該ハウジング１の断面を示す。該のハウジング１の内部において、機械で製造された濾過材１０から形成される濾過手段２および電動式ファン１１（エンジンＭで操作するもの）で形成される該送気手段３の位置が系統的に示されている。図４はまた該ハウジング１に属するカップリング１３上に挿入された結合手段６の末端をも示している。
【００１９】
本発明の範囲から逸脱することなく、該送気手段３は少なくとも２台の電動式ファンから形成することができる。
【００２０】
図４に示された態様において、該ファンにより格子窓１２（または他の機能的に等価の手段）を介して該ハウジング１の内部へ吸い込まれた空気は、該管６に送られる前に該濾過材１０を通過し、次いで前記管６を介して該散気装置７に達する。
【００２１】
簡略化のために、図４では該送気手段３を始動／停止するための及び／又はその操作を調整するための（既知の）手段が示されていない。
【００２２】
図４に示すように、該送気手段３は該電動式ファン１１から形成され、前記手段は、スイッチ、および、多分、ファン１１の回転速度を、および、それゆえに、該散気装置７の空気流を、連続的にまたは不連続的に調整するための手段からなる。
【産業上の利用可能性】
【００２３】
本発明の範囲から逸脱することなく、該濾過手段２および該送気手段３は、非制限的な例として図４に示されるもの（機械で製造された濾過材１０、それぞれ電動式ファン１１）とは異なる手段から形成することができ、及び／又は、これらはハウジング１の内部に様様な態様で配置される。
【００２４】
本発明の範囲から逸脱することなく、当業者は、本発明の携帯用空気浄化機に関して、通常の経験および技術上の自然な進歩により示唆されるすべての変更および改善を行うことができる。
【図面の簡単な説明】
【００２５】
本発明は提出された図面に示される非限定的な態様に関してより詳細に記述される。
【図１】本発明に関する携帯用空気浄化機を身に付けた使用者の背面図である。
【図２】放出手段をよりよく示すための、図1における使用者の頭部の正面図である。
【図３】放出手段をよりよく示すための、図1における使用者の頭部の側面図である。
【図４】ハウジング１の断面を系統的に示す図である。
添付図面において関連する要素は同一の数字で示される。
【符号の説明】
【００２６】
１      ハウジング
２      濾過手段
３      送気手段
５      放出手段
６      結合手段
７      散気手段
８      支持手段
９      外部動力源
１０      機械で製造された濾過材
１１      電動式ファン
１２      格子窓
１３      カップリング
【国際公開パンフレット】
2004528866.tif 000003
2004528866.tif 000004
2004528866.tif 000005
2004528866.tif 000006
2004528866.tif 000007
2004528866.tif 000008
2004528866.tif 000009
2004528866.tif 000010
2004528866.tif 000011
2004528866.tif 000012
2004528866.tif 000013
2004528866.tif 000014
【国際公開パンフレット（コレクトバージョン）】
2004528866.tif 000015
2004528866.tif 000016
【手続補正書】
【提出日】平成15年1月24日(2003.1.24)
【手続補正１】
【補正対象書類名】特許請求の範囲
【補正対象項目名】全文
【補正方法】変更
【補正の内容】
【特許請求の範囲】
【請求項１】
携帯用空気浄化機であって、前記浄化機は、使用者が身に付けるハウジング（１）、前記ハウジング（１）を放出手段（５）に結合する手段（６）、および前記放出手段（５）の要素からなり、
前記ハウジング（１）は、少なくとも、空気中に存在する汚染物質をとるための濾過手段（２）および前記濾過手段（２）から出てくる空気を前記放出手段（５）に送るための送気手段（３）を保有し、前記送気手段（３）は４０〜２６０ｌ／ｍｉｎの範囲内にある量の空気を前記放出手段（５）に送るのに適しており、
前記放出手段（５）は前記使用者の頭部に取付けられ、少なくとも前記使用者の鼻および口の双方に濾過空気を供給するための散気装置（７）および前記散気装置（７）を支えるための支持手段（８）からなり、前記散気装置（７）は前記鼻および口の間じかに配置される末端からなり、かつ、前記使用者の鼻および口の双方を覆うのに十分な幅を有することを特徴とする前記浄化機。
【請求項２】
前記ハウジング（１）は前記使用者のベルトからつるすことができることを特徴とする請求項１に記載の空気浄化機。
【請求項３】
前記濾過手段が少なくとも濾過材からなることを特徴とする請求項１に記載の空気浄化機。
【請求項４】
前記濾過材が少なくとも機械で製造した濾過材（１０）であることを特徴とする請求項３に記載の空気浄化機。
【請求項５】
前記機械で製造した濾過材（１０）が少なくとも互換性のあるカートリッジを具備したマルチ−フィルター・タイプのものであることを特徴とする請求項４に記載の空気浄化機。
【請求項６】
前記濾過手段（２）が空気中に存在する汚染物質の９９．９％までとるのに適していることを特徴とする請求項１に記載の空気浄化機。
【請求項７】
前記濾過手段（２）から出てくる空気を前記放出手段（５）に送るための前記手段（３）が少なくともファンからなることを特徴とする請求項１に記載の空気浄化機。
【請求項８】
前記ファンが少なくとも電気式ファン（１１）であることを特徴とする請求項７に記載の空気浄化機。
【請求項９】
前記電気式ファン（１１）が少なくとも多段速度式ファンであることを特徴とする請求項８に記載の空気浄化機。
【請求項１０】
前記ハウジング（１）を前記放出手段（５）に結合する前記手段（６）が可撓性管状体から形成されることを特徴とする請求項１に記載の空気浄化機。
【請求項１１】
前記可撓性管状体が可撓性畝状管から形成されることを特徴とする請求項１１に記載の空気浄化機。
【請求項１２】
前記可撓性管状体が無毒プラスチック材料から作られることを特徴とする請求項１１に記載の空気浄化機。
【請求項１３】
前記可撓性管状体が無毒ゴムから作られることを特徴とする請求項１１に記載の空気浄化機。
【請求項１４】
前記ハウジング（１）を前記放出手段（５）に結合する前記手段（６）が前記放出手段（５）に属する前記散気装置（７）に直に結合されていることを特徴とする請求項１に記載の空気浄化機。
【請求項１５】
前記放出手段（５）に属する前記散気装置（７）は前記使用者の鼻および口の直前領域に空気流を送るものであり、前記空気流は前記濾過手段（２）により浄化され、前記ハウジング（１）を前記放出手段（５）に結合する前記手段（６）から出てくることを特徴とする請求項１に記載の空気浄化機。
【請求項１６】
前記放出手段（５）に属し前記散気装置（７）を支える前記手段（８）は、半円形状を有するプラスチック体から作られ、その末端に前記散気装置（７）が固定されることを特徴とする請求項１に記載の空気浄化機。
【国際調査報告】
2004528866.tif 000017
2004528866.tif 000018
2004528866.tif 000019